(57)【特許請求の範囲】
【請求項１】
構造物の上部梁及び下部梁と、前記上部梁及び下部梁に固着された２本の柱と、上端が前記上部梁又は両側の柱の上部梁に近い箇所に結合され下端が１つの連結材に結合されたＶ字状のブレースと、上端が前記連結材に枢着された梃子と、一端が前記梃子の中間部に枢着され他端が前記下部梁又は一方の柱の下部梁に近い箇所に枢着されたリンクと、一端が前記梃子の下端に枢着され他端が前記下部梁又は他方の柱の下部梁に近い箇所に枢着されたダンパーと、を備えたことを特徴とする制振用ダンパー装置。
【請求項２】
構造物の上部梁及び下部梁と、前記上部梁及び下部梁に固着された２本の柱と、上端が前記上部梁又は両側の柱の上部梁に近い箇所にブレース取付ピンによって枢着されたＶ字状のブレースと、前記Ｖ字状のブレースの下端に上端が枢着された梃子と、一端が前記梃子の中間部に枢着され他端が前記下部梁又は一方の柱の下部梁に近い箇所に枢着されたリンクと、一端が前記梃子の下端に枢着され他端が前記下部梁又は他方の柱の下部梁に近い箇所に枢着されたダンパーと、を備えたことを特徴とする制振用ダンパー装置。
【発明の詳細な説明】
【０００１】
【発明の属する技術分野】
本発明は、変位拡大機構を備えて構造物の微小振動にも対応できるようにした制振用ダンパー装置に関するものである。
【０００２】
【従来の技術】
建造物の地震等による振動を梃子等の変位拡大機構により大きな運動に変換してダンパーに伝達し、ダンパーで大きな減衰効果が得られるようにして、構造物の微小振動にも対応できるようにした制振用ダンパー装置は、従来から使用されている。
【０００３】
図３は、変位拡大機構を備えて構造物の微小振動にも対応できるようにした従来の制振用ダンパー装置の一例を示す正面図であって、水平の上部梁１、下部梁２と柱３，４とが固着されて構造物を構成しており、下部梁２には、逆Ｖ字型の支持フレーム５が取り付けられている。
【０００４】
支持フレーム５の頂部には水平の梃子６の中央部がピン７で枢着されて揺動し得るようになっており、梃子６の両端部は柱３，４に沿って摺動できるようになっている。梃子６の両端部に近い箇所にはダンパー８，９の上端が枢着されており、ダンパー８，９の下端は下部梁２に支持されている。上部梁１の下面には台座１０が固着されていて、梃子６の中央部は、上述したピン７の直上に位置するピン１１によって台座１０にも枢着されている。
【０００５】
図３において、地震等の振動により上部梁１と下部梁２とが水平方向に変位すると、その変位に従ってピン７，１１が水平方向に変位し、梃子６の両端部は上下方向に揺動して、ダンパー８，９は上部梁１と下部梁２との変位量よりも拡大されたストロークで作動し、大きな抵抗力を発揮して効果的に振動を減衰させることになる。
【０００６】
図４は、従来の制振用ダンパー装置の他の例を示す正面図であって、短ブレース材１２と長ブレース材１３とは、Ｖ字型に屈折した配置でそれぞれの一端が回転摩擦ダンパー１４を介して枢着されており、短ブレース材１２の他端は回転支承部１５を介して上部梁１の柱４に近い箇所に枢着され、長ブレース材１３の他端は回転支承部１６を介して下部梁２の柱３に近い箇所に枢着されている。
【０００７】
図４において、地震等の振動により上部梁１が矢印に示すように下部梁２に対して水平方向に変位し、上部梁１と共に回転支承部１５が水平変位量１７で変位すると、短ブレース材１２と長ブレース材１３とは破線で示すように直線状態の配置に近付き、回転摩擦ダンパー１４は、水平変位量１７よりも拡大された変位量１８で変位作動し、大きな抵抗力を発揮して振動を減衰させることになる。
【０００８】
【発明が解決しようとする課題】
図３に示した従来の制振用ダンパー装置では、上下に並んでいるピン１１，７の内の１個には上下方向の変位をさせるため長孔に挿通させなければならない。ピンを挿通させる孔を長孔にした場合にはピンと孔とは線接触となり、構造上の強度を確保するためにはピンの径を大きくする必要があってコスト高になり、また、ピンを挿通させる孔を長孔にするとガタが発生しやすく、さらに長孔は加工が難しい上にブッシュを用いる場合には、ブッシュが高価となる問題があった。
図４に示した従来の制振用ダンパー装置では、回転摩擦ダンパー１４の変位方向が回転支承部１５の変位方向に対し角度を持っていて建造物の変位方向と一致しないため、減衰効率が低くなり、微小変位に対して有効に作用せず、さらに上部梁１、下部梁２、柱３，４の施工精度の影響を受け、設置が難しい問題があった。
【０００９】
本発明は、このような従来の問題を解決し、変位拡大機構を備えてピン結合部にガタが発生せず、梁や柱の施工精度の影響を受けない制振用ダンパー装置を提供することを目的とするものである。
【００１０】
【課題を解決するための手段】
請求項１の発明は、構造物の上部梁及び下部梁と、前記上部梁及び下部梁に固着された２本の柱と、上端が前記上部梁又は両側の柱の上部梁に近い箇所に結合され下端が１つの連結材に結合されたＶ字状のブレースと、上端が前記連結材に枢着された梃子と、一端が前記梃子の中間部に枢着され他端が前記下部梁又は一方の柱の下部梁に近い箇所に枢着されたリンクと、一端が前記梃子の下端に枢着され他端が前記下部梁又は他方の柱の下部梁に近い箇所に枢着されたダンパーと、を備えたことを特徴とする制振用ダンパー装置に係るもので、ブレースの下端に連結材を介して梃子の上端を枢着し、リンクの両端も枢着によって支持されているため、梃子の枢着部は長孔にする必要がなく、ガタが発生しない。
【００１１】
請求項２の発明は、構造物の上部梁及び下部梁と、前記上部梁及び下部梁に固着された２本の柱と、上端が前記上部梁又は両側の柱の上部梁に近い箇所にブレース取付ピンによって枢着されたＶ字状のブレースと、前記Ｖ字状のブレースの下端に上端が枢着された梃子と、一端が前記梃子の中間部に枢着され他端が前記下部梁又は一方の柱の下部梁に近い箇所に枢着されたリンクと、一端が前記梃子の下端に枢着され他端が前記下部梁又は他方の柱の下部梁に近い箇所に枢着されたダンパーと、を備えたことを特徴とする制振用ダンパー装置に係るもので、ブレースの両端がピン結合で支持されているため、梁や柱の施工精度に順応させることが可能である。
【００１２】
【発明の実施の形態】
以下、本発明の実施の形態を、図に基づいて説明する。
図１は本発明の実施の形態の一例を示す正面図であって、Ｖ字状のブレース１９，１９の上端は、固定部材２０を介して両側の柱３，４の上部梁１に近い箇所に固体状態で結合されており、Ｖ字状のブレース１９，１９の下端は１つの連結部材２１に固体状態で結合されている。なお固定部材２０は、両側の柱３，４に固定せずに上部梁１に固定してもよい。
【００１３】
ブレース１９の下端が結合されている連結部材２１には、鉛直方向に配置した梃子２２の上端がピン２３によって枢着されており、梃子２２の下端には、水平方向に配置されたダンパー２４の一端がピン２５によって枢着されている。そしてダンパー２４の他端は、柱４の下部梁２に近い箇所に固定されているダンパー取付台２６に、ダンパー取付ピン２７を介して枢着されている。
【００１４】
鉛直方向に配置した梃子２２の中間部には、リンク２８の一端がピン２９によって枢着されており、リンク２８のの他端は、柱３の下部梁２に近い箇所に固定されているリンク取付台３０に、リンク取付ピン３１を介して枢着されている。
なおダンパー取付台２６並びにリンク取付台３０は、両側の柱３，４に固定せずに下部梁２に固定してもよい。
次に、図１に示す装置の作用を説明する。
【００１５】
地震等の振動によって上部梁１と下部梁２とが水平方向に相対的に変位すると、上部梁１側の変位はＶ字状のブレース１９、連結部材２１を介してピン２３に伝えられ、下部梁２側の変位はリンク２８を介してピン２９に伝えられる。そして梃子２２は上部梁１と下部梁２との水平方向の相対的変位を拡大して下端のピン２５に伝え、拡大した変位量がそのままダンパー２４に伝えられて大きな抵抗力により振動を減衰させるようになる。
【００１６】
上部梁１と下部梁２との水平方向の変位に伴って、上部梁１と下部梁２との上下の間隔も若干変化するが、この変化に対してはリンク２８がピン３１を中心として上下方向に回動することにより対応できるため、ピン２３，２９，２５を支持する孔は長孔にする必要がない。
【００１７】
図２は本発明の実施の形態の他の例を示す正面図であって、図１と同一部分には同一符号を付してある。
図２に示す装置においては、Ｖ字状のブレース１９，１９の上端は、ブレース取付ピン３２によって固定部材２０に枢着されており、Ｖ字状のブレース１９，１９の下端は図１のように連結部材２１に結合せずに、梃子２２の上端と共に１つのピン２３によって枢着されていて、他の構成は図１と変わるところはない。
建造物を構築する際には、施工精度の関係で、上部梁１、下部梁２間、並びに柱３，４間に寸法のばらつきが生ずる。しかし図２の装置においては、Ｖ字状のブレース１９，１９の上端はブレース取付ピン３２によって固定部材２０に枢着され、Ｖ字状のブレース１９，１９の下端も梃子２２の上端と共に１つのピン２３によって枢着されていて、ブレース１９の両端はいずれもピン結合による取り付けであるため、上部梁１、下部梁２間、並びに柱３，４間に寸法のばらつきに順応させて建造物に取り付けることが可能である。そして図１の装置と同様に、梃子２２は上部梁１と下部梁２との水平方向の相対的変位を拡大して下端のピン２５に伝え、拡大した変位量がそのままダンパー２４に伝えられて大きな抵抗力により振動を減衰させることができる。
【００１８】
【発明の効果】
請求項１及び請求項２の発明は、いずれも上部梁と下部梁との水平方向の相対的変位を拡大してダンパーに伝え、大きな抵抗力により振動を減衰させることができる効果がある。
【００１９】
そして請求項１の発明は、梃子の枢着部を長孔にする必要がないため、加工しやすく安価になり、ガタが発生しない効果がある。
また請求項２の発明は、ブレースの両端がピン結合による支持であるため、梁や柱の施工精度に順応させるこが可能で、取り付ける作業が簡単に行える効果がある。
【図面の簡単な説明】
【図１】本発明の実施の形態の一例を示す正面図である。
【図２】本発明の実施の形態の他の例を示す正面図である。
【図３】従来の制振用ダンパー装置の一例を示す正面図である。
【図４】従来の制振用ダンパー装置の他の例を示す正面図である。
【符号の説明】
１  上部梁
２  下部梁
３，４  柱
１９  ブレース
２２  梃子
２４  ダンパー
２８  リンク
３２  ブレース取付ピン
【図１】
0004077999.tif 000002
【図２】
0004077999.tif 000003
【図３】
0004077999.tif 000004
【図４】
0004077999.tif 000005